(57)【要約】      （修正有）【課題】ドアミラーの下の補助鏡のカバーに設けた補助鏡を軸ネジを中心に補助鏡のカバーの中で動くようにして作り、車の側面と車の側面の下の道路が補助鏡から外れて映らなくなったときに、補助鏡の上部や下部を押して映らなくなった画面を補助鏡に映るように設定して使用することが出来る補助鏡の装置を提供する。【解決手段】鏡面３を設けたドアミラーのカバー１の一端にボールジョイント１１を介してドア取り付け台１０を設置し、カバー１の下に補助鏡のカバー２を設け、補助鏡のカバー２の窓１５をドア取り付け台１０の方向に開け、補助鏡のカバー２の中に補助鏡９を入れ、補助鏡のカバー２の側面に開けられた軸受け穴、補助鏡９の後面側部に設けられたネジ穴、軸穴に軸ネジ７を入れて角度調整可能とし、ドア取り付け台１０を車の左のフロントドアに設置したことを特徴とする。【選択図】図７
0003192912.tif 000002
【実用新案登録請求の範囲】
【請求項１】
鏡面（３）を設けたドアミラーのカバー（１）の下に補助鏡のカバー（２）を設けて補助鏡のカバー（２）の窓（１５）はドア取り付け台（１０）を設ける方向に開ける。  補助鏡のカバー（２）の側面の一端に軸受け穴（６）を開ける。  前期のドアミラーのカバー（１）の一端にドア取り付け台（１０）に設けたボールジョイント（１１）を設けてドアミラーのカバー（１）にドア取り付け台（１０）を設置する。  前期の補助鏡のカバー（２）の中に補助鏡（９）を入れて、軸受け穴（６）から軸ネジ（７）を入れて、ネジ穴（４）と軸穴（５）に通して、補助鏡のカバー（２）の中に補助鏡（９）を軸ネジ（７）で設ける。  前期のドア取り付け台（１０）を車（８）の左のフロントドアに設置して、車（８）にドアミラー（３）と補助鏡（９）を設けたドアミラーのカバー（１）を設ける。  以上のように、ドアミラーのカバー（１）の一端に設けた車の側面と車の側面の下の道路を映す事が出来る補助鏡の装置。
【考案の詳細な説明】
【技術分野】
【０００１】  ドアミラーのカバーの下に設けた補助鏡のカバーに補助鏡を入れて、軸ネジを補助鏡のカバーの側面から補助鏡に通して補助鏡のカバーの中に軸ネジで補助鏡を設置して、補助鏡の上部や下部を押して角度を変えることが出来るようにした車の左のフロントの側面と、側面の下の道路を映す補助鏡に関するものである。
【背景技術】
【０００２】  従来、ドアミラーのカバーの下に設けた車の左のフロントの側面と、フロントの側面の下の道路を映す補助鏡は、ドアミラーの下に固定して設けてあるためにドアミラーの鏡面に映った画面の調整でボールジョイントを軸にドアミラーのカバーを動かすと、ドアミラーの下に固定して設けた補助鏡も同じに動くために車の運転手の必要な車の左のフロントの側面と、フロントの側面の下の道路が映った画面は、補助鏡の鏡面からはずれて補助鏡に映らなくなる欠点があった。  又、ドアミラーのカバーの下に固定して設けた補助鏡は、ドアミラーの鏡面と補助鏡の鏡面が同じに動くために両方の鏡面に映った画面を同じに運転手の満足のいく位置に調整して映すことが難しく困難だった。
【考案が解決しようとする課題】
【０００３】  本考案は、その欠点をなくするために、ドアミラーのカバー（１）の下の補助鏡のカバー（２）の中に入れた補助鏡（９）に補助鏡のカバー（２）の側面から輔ネジ（７）を補助鏡（９）の背面のネジ穴（４）と軸穴（５）に通して設けてドアミラーのカバー（１）と補助鏡（９）が別々に動くように作り、ドアミラーの鏡面（３）の調整でボールジョイント（１１）を軸にドアミラーのカバー（１）を動かしたときにドアミラーのカバー（１）の下に設けた補助鏡のカバー（２）の中に設けた補助鏡（９）も同じに動いて運転手の必要な画面が補助鏡（９）からはずれて映らなくなったときに、補助鏡（９）の上部や、下部を押して補助鏡（９）の角度を変えて運転手に必要だった画面が映る位置に補助鏡（９）を動かすことが出来ることを課題に研究をすすめた。
【課題を解決するための手段】
【０００４】イ、ドアミラーの鏡面（３）を設けたドアミラーのカバー（１）の一端にドア取り付け台（１０）を設けたボールジョイント（１１）を設置して、ドアミラーのカバー（１）にドア取り付け台（１０）を設ける。ロ、ドアミラーのカバー（１）の下に補助鏡のカバー（２）を設けて、補助鏡のカバーの窓口（１５）をドア取り付け台（１０）を設けた方向に向けてあけて補助鏡のカバー（２）の側面に軸受け穴（６）をあける。ハ、補助鏡（９）の鏡面を凸面鏡にして作って、背面の中央の一端に、ネジ穴（４）をあけたネジ受け台（１２）と、軸穴（５）をあけた軸受け台（１３）を設ける。二、補助鏡のカバー（２）の中に補助鏡（９）を入れて、補助鏡のカバー（２）の側面にあけた軸受け穴（６）から軸ネジ（７）を入れて、ネジ穴（４）と、軸穴（５）に軸ネジ（７）を通して、補助鏡のカバー（２）の中に補助鏡（９）を設ける。ホ、ドア取り付け台（１０）を車（８）の左のフロントドアに設けて、鏡面（３）と、補助鏡（９）を設けたドアミラーのカバー（１）を車（８）に設置して補助鏡（９）の鏡面は、車（８）の左のフロントの側面に向けて設ける。
【考案の実施と形態】
【０００５】  本考案のドアミラーのカバー（１）の下に設けた補助鏡のカバー（２）の中に入れた補助鏡（９）は、軸ネジ（７）を中心に補助鏡（９）の角度を変えて、車の左のフロントの側面とフロントの側面の下の道路が映った補助鏡（９）を運転手の一番見やすい位置に設定して補助鏡（９）を使用することが出来る。  そのために、ドアミラーのカバー（１）を動かしてドアミラーの鏡面（３）に映っている画面を調整すると、補助鏡のカバー（２）の中に軸ネジ（７）で設けた補助鏡（９）も同じに動いて、運転手の必要だった車の左フロントの側面と、側面の下の道路が映った画面が補助鏡（９）からはずれて補助鏡（９）に映らなくなったときに、補助鏡（９）の上部や、下部を押して運転手の必要な車の左のフロントの側面と、側面の下の道路が映る位置に補助鏡（９）の角度を変えて、設定することが出来る。  補助鏡（９）の設定が終わったら、軸ネジ（７）をしめて補助鏡（９）のネジ受け台（１２）を補助鏡のカバー（２）の側面に密着させて補助鏡（９）を固定することも出来る。  以上のように装置した補助鏡（９）に映った車の左のフロントの側面と、側面の下の道路の画面を見ながら車を操作して道路の左の端に安全に車を寄せたり、車の幅寄せをすることが出来る。
【なお、本考案は次のようなことが出来る】
図９、補助鏡のカバー（２）の側面に車（８）の後方の後輪の周辺を映す補助鏡（１６）を設置することが出来る。  又、図（１０）、車の左のフロントの側面の周辺から後輪の側面の周辺を同じに映るように作った大きく湾曲した補助鏡（１４）を、補助鏡のカバー（２）の中に入れて使用する事が出来る。
【考案の効果】
【０００６】  ドアミラーの鏡面（３）と補助鏡（９）の鏡面を別々に動かすことが出来、運転手の一番見やすい位置にドアミラーの鏡面（３）と補助鏡（９）を別々に調整して使用することが出来る。  したがって、補助鏡（９）に映った画面を見ながら車を操作することが出来るために、安全に車を道路の端に寄せる事が出来る効果がある。
【図面の簡単な説明】
【０００７】
【図１】は、正面図
【図２】は、側面図
【図３】は、補助鏡の正面図
【図４】は、補助鏡の正面図
【図５】は、正面図
【図６】は、補助鏡の正面図
【図７】は、補助鏡の側面図
【図８】は、補助鏡の側面図
【図９】は、補助鏡の側面図
【図１０】は、補助鏡の側面図
【図１１】は、透視図
【符号の説明】
【０００８】１は、ドアミラーのカバー２は、補助鏡のカバー３は、ドアミラーの鏡面４は、ネジ穴５は、軸穴６は、軸受け穴７は、軸ネジ８は、車９は、補助鏡１０は、ドア取り付け台１１は、ボールジョイント１２は、ネジ受け台１３は、軸受け台１４は、大きく湾曲した補助鏡１５は、窓１６は、車の後輪を映す補助鏡１７は、正面から側面まであけた窓１８は、押す方向矢印１９は、移動方向矢印
【図１】
0003192912.tif 000003
【図２】
0003192912.tif 000004
【図３】
0003192912.tif 000005
【図４】
0003192912.tif 000006
【図５】
0003192912.tif 000007
【図６】
0003192912.tif 000008
【図７】
0003192912.tif 000009
【図８】
0003192912.tif 000010
【図９】
0003192912.tif 000011
【図１０】
0003192912.tif 000012
【図１１】
0003192912.tif 000013
【手続補正書】
【提出日】平成26年6月23日(2014.6.23)
【手続補正１】
【補正対象書類名】実用新案登録請求の範囲
【補正対象項目名】全文
【補正方法】変更
【補正の内容】
【実用新案登録請求の範囲】
【請求項１】
鏡面（３）を設けたドアミラーのカバー（１）の一端にボールジョイント（１１）を介してドア取り付け台（１０）を設置し、該カバー（１）の下に補助鏡のカバー（２）を設け、補助鏡のカバー（２）の窓（１５）をドア取り付け台（１０）の方向に開け、前記補助鏡のカバー（２）の中に補助鏡（９）を入れ、前記補助鏡のカバー（２）の側面に開けられた軸受け穴（６）、前記補助鏡（９）の後面側部に設けられたネジ穴（４）、軸穴（５）に軸ネジ（７）を入れて角度調整可能とし、前記ドア取り付け台（１０）を車（８）の左のフロントドアに設置したことを特徴とする、車の左のフロントの側面と側面の下の道路を映す補助鏡の装置。